(57)【要約】【課題】オペレータに煩雑な操作を要求することなく、各動力機器に対する電力の供給及び停止を行なって電力消費量を低減する。【解決手段】制御装置２２は、射出成形装置１０の射出成形機１１及び付帯設備１２〜１５に備えられた動力機器１６〜２１に対する電力の供給及び停止を制御することで、射出成形機１１及び付帯設備１２〜１５を作動させる。制御装置２２の記憶部２６には、射出成形装置１０による複数種類の生産形態と、各動力機器１６〜２１に対する電力の供給及び停止に関する複数種類の電力供給パターンとが予め対応付けられて記憶されている。選択スイッチ２４を通じて、複数の生産形態の中から１つを選択する操作がなされると、制御装置２２は、選択された生産形態に対応する電力供給パターンを全ての動力機器１６〜２１について読出し、読出した電力供給パターンに従って、対応する動力機器１６〜２１に対する電力の供給及び停止を実行する。【選択図】図１
2016068342.tif 000002
【特許請求の範囲】
【請求項１】
射出成形装置における射出成形機及び付帯設備にそれぞれ備えられた動力機器に対する電力の供給及び停止を制御することで、前記射出成形機及び前記付帯設備をそれぞれ作動及び停止させる射出成形装置の電力制御装置であって、
前記射出成形装置による複数種類の生産形態と、前記動力機器に対する電力の供給及び停止に関する複数種類の電力供給パターンとを予め対応付けて記憶しておき、複数種類の前記生産形態の中から１つを選択する操作がなされた場合に、選択された生産形態に対応する電力供給パターンを全ての前記動力機器について読出し、読出した電力供給パターンに従って、対応する前記動力機器に対する電力の供給及び停止を、全ての前記動力機器について実行する射出成形装置の電力制御装置。
【請求項２】
複数種類の生産形態と複数種類の電力供給パターンとの対応関係を入力する入力装置と、前記入力装置を通じて入力された前記対応関係を記憶する記憶部とを備えており、
前記生産形態を選択する操作がなされた場合には、前記記憶部に記憶されている対応関係から、選択された生産形態に対応する電力供給パターンが読出される請求項１に記載の射出成形装置の電力制御装置。
【請求項３】
複数種類の電力供給パターンには、予め定めた期間の全期間にわたり電力供給を停止する第１の電力供給パターンと、全期間にわたり電力供給を継続する第２の電力供給パターンと、前記期間の始期から途中まで電力供給を停止する第３の電力供給パターンとが含まれる請求項１又は２に記載の射出成形装置の電力制御装置。
【請求項４】
前記第３の電力供給パターンは、電力供給により昇温し、かつ前記射出成形機及び前記付帯設備の各作動に際し、特定の温度以上に昇温された状態で使用される動力機器に適用される請求項３に記載の射出成形装置の電力制御装置。
【請求項５】
前記期間は、前記射出成形装置による射出成形が一時的に停止される期間である請求項３又は４に記載の射出成形装置の電力制御装置。
【請求項６】
前記期間は、前記射出成形装置の稼働時間帯の途中に設定された非稼働時間帯である請求項５に記載の射出成形装置の電力制御装置。
【請求項７】
前記動力機器に対する電力の供給停止により低減される電力量の指標値を表示する表示装置をさらに備える請求項１〜６のいずれか１項に記載の射出成形装置の電力制御装置。
【発明の詳細な説明】
【技術分野】
【０００１】
本発明は、射出成形装置における射出成形機及び付帯設備の各動力機器に対する電力の供給及び停止を制御する射出成形装置の電力制御装置に関する。
【背景技術】
【０００２】
樹脂製品を成形する方法の１つに、射出成形装置を用いて行なう射出成形がある。射出成形は、加熱して流動状態にした樹脂材料を、閉じた金型の空洞部（キャビティ）に加圧注入し、金型内で固化させることにより、金型空洞部に相当する樹脂製品を製造する方法である。射出成形装置は、上記射出成形を行なう射出成形機と複数の付帯設備とからなる。射出成形機及び各付帯設備は、いずれも電力により作動する動力機器を備えている。射出成形機の動力機器としては、例えばヒータ、モータ等が挙げられる。付帯設備の動力機器としては、例えばホットランナ、取出しコンベヤ、金型温水機、ホッパドライヤ等が挙げられる。
【０００３】
上記各動力機器への電力の供給は、その動力機器が本来作動する期間を終える都度、停止されることが電力消費量低減の観点から望ましい。
なお、関連する技術として、射出成形装置の射出成形機及び付帯設備の各作動を制御する技術が例えば特許文献１及び特許文献２に記載されている。
【先行技術文献】
【特許文献】
【０００４】
【特許文献１】特開平６−１１４９０６号公報
【特許文献２】特開平６−１３４８３１号公報
【発明の概要】
【発明が解決しようとする課題】
【０００５】
ところが、樹脂製品の種類が異なると、金型の種類、樹脂材料の種類、射出成形の条件等（以下、これらを「生産形態」という）も異なり、それに伴い、各動力機器に対する電力の供給及び停止の態様も異なってくる。しかも、射出成形装置には多くの種類の動力機器が用いられている。そのため、電力消費量を低減しようとすると、射出成形装置のオペレータが、複数種類の動力機器について、それらの動力機器が作動をする期間を終える毎に電力供給を停止する操作を行なったり、作動を開始する期間になる毎に電力を供給する操作を行なったりしなければならない。こうした煩雑な操作をオペレータに強いることは現実的ではなく、上記電力供給及び停止のための操作が行なわれていないのが実情である。
【０００６】
なお、上記特許文献１及び特許文献２は、単に、射出成形装置の射出成形機及び付帯設備の各作動を制御しているにすぎず、生産形態を考慮して各動力機器に対する電力の供給及び停止を制御するものではない。
【０００７】
本発明は、このような実情に鑑みてなされたものであって、その目的は、オペレータに煩雑な操作を要求することなく、各動力機器に対する電力の供給及び停止を行なって電力消費量を低減することのできる射出成形装置の電力制御装置を提供することにある。
【課題を解決するための手段】
【０００８】
上記課題を解決する射出成形装置の電力制御装置は、射出成形装置における射出成形機及び付帯設備にそれぞれ備えられた動力機器に対する電力の供給及び停止を制御することで、前記射出成形機及び前記付帯設備をそれぞれ作動及び停止させる射出成形装置の電力制御装置であって、前記射出成形装置による複数種類の生産形態と、前記動力機器に対する電力の供給及び停止に関する複数種類の電力供給パターンとを予め対応付けて記憶しておき、複数種類の前記生産形態の中から１つを選択する操作がなされた場合に、選択された生産形態に対応する電力供給パターンを全ての前記動力機器について読出し、読出した電力供給パターンに従って、対応する前記動力機器に対する電力の供給及び停止を、全ての前記動力機器について実行するものである。
【０００９】
上記の構成によれば、射出成形装置における射出成形機及び付帯設備には、それらの作動のために複数種類の動力機器が用いられているところ、射出成形装置の電力制御装置では、射出成形装置による複数種類の生産形態と、各動力機器に対する電力の供給及び停止に関する複数種類の電力供給パターンとが予め対応付けられて記憶されている。そして、射出成形装置による複数種類の生産形態の中から１つを選択する操作がオペレータによってなされると、選択された生産形態に対応する電力供給パターンが全ての動力機器について読出される。読出された電力供給パターンに従って、対応する動力機器に対する電力の供給及び停止が、全ての動力機器について実行される。その結果、電力を供給された動力機器が作動し、電力供給の停止された動力機器が作動を停止することで、射出成形が支障なく行なわれつつ電力の消費量が低減される。上記各動力機器に対する電力の供給及び停止は電力制御装置によって行なわれるため、射出成形装置のオペレータは、電力の供給及び停止のための煩雑な操作を行なわなくてもすむ。
【００１０】
上記射出成形装置の電力制御装置において、複数種類の生産形態と複数種類の電力供給パターンとの対応関係を入力する入力装置と、前記入力装置を通じて入力された前記対応関係を記憶する記憶部とを備えており、前記生産形態を選択する操作がなされた場合には、前記記憶部に記憶されている対応関係から、選択された生産形態に対応する電力供給パターンが読出されることが好ましい。
【００１１】
上記の構成によれば、入力装置が操作されることで、複数種類の生産形態と複数種類の電力供給パターンとの対応関係が入力されると、その入力された対応関係は記憶部に記憶される。このようにして、複数種類の生産形態と複数種類の電力供給パターンとの対応関係が予め設定登録される。そして、生産形態を選択する操作がなされると、記憶部に記憶されている対応関係から、選択された生産形態に対応する電力供給パターンが読出される。
【００１２】
上記射出成形装置の電力制御装置において、複数種類の電力供給パターンには、予め定めた期間の全期間にわたり電力供給を停止する第１の電力供給パターンと、全期間にわたり電力供給を継続する第２の電力供給パターンと、前記期間の始期から途中まで電力供給を停止する第３の電力供給パターンとが含まれることが好ましい。
【００１３】
上記の構成によれば、読出された電力供給パターンが第１の電力供給パターンであると、対応する動力機器に対しては、予め定められた期間の全期間にわたり電力供給が停止される。従って、対象となる動力機器は、上記期間中、作動を停止する。
【００１４】
また、読出された電力供給パターンが第２の電力供給パターンであると、対応する動力機器に対しては、上記期間の全期間にわたり電力が供給され続ける。従って、対象となる動力機器は、上記期間中作動を続け、停止することはない。
【００１５】
さらに、読出された電力供給パターンが第３の電力供給パターンであると、対応する動力機器に対しては、上記期間の始期から途中まで電力供給が停止される。従って、対象となる動力機器は、上記期間の始期から途中までは作動を停止し、途中から作動を開始する。
【００１６】
上記射出成形装置の電力制御装置において、前記第３の電力供給パターンは、電力供給により昇温し、かつ前記射出成形機及び前記付帯設備の各作動に際し、特定の温度以上に昇温された状態で使用される動力機器に適用されることが好ましい。
【００１７】
上記の構成によれば、特定の温度以上に昇温された状態で使用される動力機器については、第３の電力供給パターンが読出される。この動力機器に対しては、期間の始期から途中まで電力供給が停止され、途中から電力供給が再開される。従って、電力供給の停止により動力機器の温度が低下しても、射出成形機及び付帯設備の各作動が再開されるまでには、動力機器を特定の温度以上に昇温させることが可能である。動力機器への電力供給の停止は、射出成形機及び付帯設備の各作動の支障となりにくい。
【００１８】
上記射出成形装置の電力制御装置において、前記期間は、前記射出成形装置による射出成形が一時的に停止される期間であることが好ましい。
上記の構成によれば、射出成形装置による射出成形を一時的に停止させる期間になると、第１〜第３の電力供給パターンを含む複数の電力供給パターンの中から各動力機器に適したものを読出すことと、その読出した電力供給パターンに従って電力を供給及び停止することとが行なわれる。
【００１９】
上記射出成形装置の電力制御装置において、前記期間は、前記射出成形装置の稼働時間帯の途中に設定された非稼働時間帯であることが好ましい。
上記の構成によれば、射出成形装置の稼働中、予め設定された非稼働時間帯（例えば休憩時間帯）になると、電力供給パターンの読出しと、各動力機器に対する電力の供給及び停止とが行なわれる。
【００２０】
上記射出成形装置の電力制御装置において、前記動力機器に対する電力の供給停止により低減される電力量の指標値を表示する表示装置をさらに備えることが好ましい。
上記の構成によれば、表示装置には、動力機器に対する電力の供給停止により低減（節電）される電力量の指標値が表示される。そのため、表示装置を見ることで、電力の供給停止によりどれくらいの電力が低減（節電）されたかが判る。
【発明の効果】
【００２１】
上記射出成形装置の電力制御装置によれば、オペレータに煩雑な操作を要求することなく、各動力機器に対する電力の供給及び停止を行なって電力消費量を低減することができる。
【図面の簡単な説明】
【００２２】
【図１】射出成形装置の電力制御装置の一実施形態を示す図であり、同電力制御装置のシステム構成を示すブロック図。
【図２】一実施形態における第１〜第３の各電力供給パターンを説明するタイミングチャート。
【図３】一実施形態において制御装置によって実行される電力制御ルーチンを示すフローチャート。
【図４】一実施形態における工場内の射出成形装置のレイアウトを示す説明図。
【発明を実施するための形態】
【００２３】
以下、射出成形装置の電力制御装置の一実施形態について、図面を参照して説明する。
最初に、射出成形装置の電力制御装置のシステム構成について説明する。
図１に示すように、射出成形装置１０は、射出成形を行なうことで樹脂製品を成形する装置である。射出成形は、背景技術の項で説明したように、加熱して流動状態にした樹脂材料を、閉じた金型の空洞部（キャビティ）に加圧注入し、金型内で固化させることにより、金型空洞部に相当する樹脂製品を造る方法である。
【００２４】
射出成形装置１０は、射出成形機１１と複数の付帯設備（周辺機器とも呼ばれる）１２，１３，１４，１５とを備えている。これらの射出成形機１１及び付帯設備１２〜１５は、いずれも電力により作動する動力機器１６〜２１を備えている。これらの動力機器１６〜２１の例を挙げると、射出成形機１１の動力機器１６はヒータであり、別の動力機器１７はモータである。付帯設備１２の動力機器１８はホットランナであり、付帯設備１３の動力機器１９は取出しコンベヤである。付帯設備１４の動力機器２０は金型温水機であり、付帯設備１５の動力機器２１はホッパドライヤである。このように、射出成形装置１０には多くの種類の動力機器１６〜２１が用いられている。なお、動力機器１７，１８，２０，２１については複数ずつ用いられているが、その数は適宜変更可能である。
【００２５】
ところで、樹脂製品の種類が異なると、金型の種類、樹脂材料の種類、射出成形の条件等（生産形態）も異なり、それに伴い、各動力機器１６〜２１に対する電力の供給及び停止の態様（時期等）も異なってくる。
【００２６】
そのため、不要な電力消費を止めて電力消費量の低減を実施しようとすると、複数種類の動力機器１６〜２１について、それらが作動を終える毎に電力供給を停止したり、作動を開始する毎に電力を供給したりする必要がある。
【００２７】
そこで、本実施形態では、上記射出成形機１１及び付帯設備１２〜１５における、各動力機器１６〜２１に対する電力の供給及び停止を制御するために制御装置２２が設けられている。制御装置２２は、マイクロコンピュータを中心として構成されており、中央処理装置（ＣＰＵ）が、読出し専用メモリ（ＲＯＭ）に記憶されている制御プログラムや初期データに従って演算処理を行い、その演算結果に基づいて電力の供給及び停止に関する制御を実行する。
【００２８】
制御装置２２には、上記各動力機器１６〜２１が接続されているほか、入力装置２３、選択スイッチ２４及び表示装置２５が接続されている。
入力装置２３は、電力の供給及び停止に関する情報を入力するための装置である。この情報の中には、複数種類の生産形態と複数種類の電力供給パターンとの対応関係が含まれている。
【００２９】
複数種類の電力供給パターンには、図２に示すように、第１の電力供給パターン（Ｉ）、第２の電力供給パターン（ＩＩ）及び第３の電力供給パターン（ＩＩＩ）が含まれている。
【００３０】
第１の電力供給パターン（Ｉ）では、図２の上段に示すように、予め定めた期間Ｔの全期間にわたり電力供給が停止される。より詳しくは、期間Ｔの始期になると、それまでなされていた電力供給が停止される。期間Ｔの始期から終期までの期間にわたりこの状態（電力供給停止）が継続される。期間Ｔの終期になると、電力供給が再開される。
【００３１】
なお、上記期間Ｔとしては、例えば、射出成形装置１０による射出成形が一時的に停止される期間が挙げられる。この期間Ｔには、射出成形装置１０の稼働時間帯の途中に予め設定された非稼働時間帯、例えば休憩時間帯等が含まれる。
【００３２】
第２の電力供給パターン（ＩＩ）では、図２の中段に示すように、上記期間Ｔの全期間にわたり電力供給が継続される。すなわち、期間Ｔの前後では電力が供給されているところ、期間Ｔになってもその状態（電力供給状態）が継続される。期間Ｔでは電力供給は停止されない。
【００３３】
第３の電力供給パターン（ＩＩＩ）では、図２の下段に示すように、上記期間Ｔの始期から途中まで電力供給が停止される。すなわち、上記第１の電力供給パターン（Ｉ）よりも早い時期に電力供給が再開される。第３の電力供給パターン（ＩＩＩ）は、例えば、電力供給により昇温し、かつ射出成形機１１及び付帯設備１２〜１５の各作動に際し、特定の温度以上に昇温された状態で使用される動力機器１６，１８，２０，２１に適用される。
【００３４】
そして、図１に示すように、上記入力装置２３が操作されることで、複数種類の生産形態と複数種類の電力供給パターンとの対応関係が入力される。
また、選択スイッチ２４は、複数種類の前記生産形態の中から１つを選択する際にオペレータによって操作されるスイッチである。
【００３５】
表示装置２５は、各動力機器１６〜２１に対する電力の供給及び停止に関する情報を表示する装置である。
制御装置２２は、データを書き換え可能な不揮発性メモリ（電力供給が絶たれてもデータを保持可能なメモリ）からなる記憶部２６を備えている。記憶部２６には、上記入力装置２３を通じて入力された情報が記憶されている。この情報の中には、複数種類の生産形態と複数種類の電力供給パターンとの対応関係が含まれている。表現を変えると、記憶部２６には、複数種類の生産形態と複数種類の電力供給パターンとの対応関係が予め設定登録されている。
【００３６】
次に、上記のように構成された本実施形態の作用について説明する。
図３のフローチャートは、制御装置２２によって行なわれる各種制御のうち、各動力機器１６〜２１に対する電力の供給及び停止を制御する「電力制御ルーチン」を示している。この電力制御ルーチンは、例えば、射出成形装置１０への電源が投入されることをもって実行される。
【００３７】
この電力制御ルーチンが開始されると、制御装置２２は、まず、ステップ１００において、選択スイッチ２４からの信号に基づき複数種類の生産形態の中から１つを選択する操作がなされたかどうかを判定する。この判定条件が満たされていない、すなわち選択操作が行なわれていない場合には、この電力制御ルーチンを一旦終了する。
【００３８】
これに対し、ステップ１００の判定条件が満たされていると、すなわち、選択操作が行なわれると、制御装置２２はステップ１１０において、記憶部２６に記憶されている対応関係から、選択された生産形態に対応する電力供給パターンを読出す。この処理を全ての動力機器１６〜２１について行なう。
【００３９】
ここで、特定の温度以上に昇温された状態で使用される動力機器１６（ヒータ），１８（ホットランナ），２０（金型温水機），２１（ホッパドライヤ）については、第３の電力供給パターン（ＩＩＩ）が読出される。
【００４０】
次に、制御装置２２はステップ１２０において、読出した動力機器１６〜２１毎の電力供給パターンに従って、対応する動力機器１６〜２１に対する電力の供給及び停止を、全ての動力機器１６〜２１について実行する。
【００４１】
読出された電力供給パターンが第１の電力供給パターン（Ｉ）であると、対応する動力機器に対しては、期間Ｔの全期間にわたり電力供給が停止される。従って、対象となる動力機器は、上記期間Ｔ中、作動を停止する。
【００４２】
また、読出された電力供給パターンが第２の電力供給パターン（ＩＩ）であると、対応する動力機器に対しては、上記期間Ｔの全期間にわたり電力が供給され続ける。従って、対象となる動力機器は、期間Ｔ中には、その前後と同様に作動を続ける。
【００４３】
さらに、読出された電力供給パターンが第３の電力供給パターン（ＩＩＩ）であると、上記期間Ｔの始期から途中まで電力供給が停止され、途中から、すなわち、終期よりも所定期間ΔＴ（＜Ｔ）分早い時期に電力供給が再開される。従って、対象となる動力機器は、上記期間Ｔの始期から途中までは作動を停止し、途中から作動を開始する。
【００４４】
第３の電力供給パターン（ＩＩＩ）が適用される動力機器には、特定の温度以上に昇温された状態で使用される動力機器１６，１８，２０，２１が含まれる。従って、電力供給の停止により動力機器１６，１８，２０，２１の温度が低下しても、射出成形機１１及び付帯設備１２〜１５の各作動が再開されるまでには、同動力機器１６，１８，２０，２１が特定の温度以上に昇温させられる。そのため、特定の動力機器１６，１８，２０，２１への電力供給の停止は、射出成形機１１及び付帯設備１２〜１５の各作動の支障となりにくい。
【００４５】
ステップ１２０の処理を実行した後、電力制御ルーチンを一旦終了する。
従って、上記電力制御ルーチンが行なわれることで、射出成形が支障なく行なわれつつ、不要な電力の消費が抑制され、電力の消費量が低減される。このように、上記各動力機器１６〜２１に対する電力の供給及び停止は、人手（オペレータ）によることなく制御装置２２によって行なわれる。オペレータは、選択スイッチ２４を通じ、生産形態を選択する操作を行なうだけですむ。
【００４６】
以上詳述した本実施形態によれば、次の効果が得られる。
（１）射出成形装置１０による複数種類の生産形態と、複数種類の動力機器１６〜２１のそれぞれに対する電力の供給及び停止に関する複数種類の電力供給パターンとを予め対応付けて記憶しておく。複数種類の生産形態の中から１つを選択する操作がなされた場合に、選択された生産形態に対応する電力供給パターンを全ての動力機器１６〜２１について読出す。読出した電力供給パターンに従って、対応する動力機器１６〜２１に対する電力の供給及び停止を実行するようにしている（図３のステップ１００，１１０，１２０）。
【００４７】
そのため、オペレータに煩雑な操作を要求することなく、各動力機器１６〜２１に対する電力の供給及び停止を行なって不要な電力の消費を抑制し、電力消費量を低減することができる。
【００４８】
（２）複数種類の生産形態と複数種類の電力供給パターンとの対応関係を入力する入力装置２３と、入力装置２３を通じて入力された対応関係を記憶する記憶部２６とを設ける（図１）。そして、選択スイッチ２４を通じ、生産形態を選択する操作がなされた場合に、記憶部２６に記憶されている対応関係から、選択された生産形態に対応する電力供給パターンを読出すようにしている（図３のステップ１００，１１０）。
【００４９】
そのため、複数種類の生産形態と複数種類の電力供給パターンとの対応関係を、射出成形の行なわれる現場で予め設定登録することができる。
（３）複数種類の電力供給パターンに、予め定めた期間Ｔの全期間にわたり電力供給を停止する第１の電力供給パターン（Ｉ）と、全期間にわたり電力供給を継続する第２の電力供給パターン（ＩＩ）と、期間Ｔの始期から途中まで電力供給を停止する第３の電力供給パターン（ＩＩＩ）とを含ませている（図２）。
【００５０】
そのため、第１の電力供給パターン（Ｉ）が読出された動力機器については、期間Ｔ中、作動を停止させることができる。第２の電力供給パターン（ＩＩ）が読出された動力機器については、期間Ｔ中、その期間Ｔの前後と同様、作動させ続けることができる。第３の電力供給パターン（ＩＩＩ）が読出された動力機器については、期間Ｔの始期から途中までは作動を停止させ、途中から作動を開始させることができる。
【００５１】
（４）第３の電力供給パターン（ＩＩＩ）を、電力供給により昇温し、かつ射出成形機１１及び付帯設備１２〜１５の各作動に際し、特定の温度以上に昇温された状態で使用される動力機器１６，１８，２０，２１に適用している（図１、図２）。
【００５２】
そのため、電力供給の停止により温度が低下しても、射出成形機１１及び付帯設備１２〜１５の各作動が再開されるまでに、動力機器１６，１８，２０，２１を特定の温度以上に昇温させることができる。電力消費量の低減を図りつつ、動力機器１６，１８，２０，２１への電力供給の停止が、射出成形機１１及び付帯設備１２〜１５の各作動の支障とならないようにすることができる。
【００５３】
（５）射出成形装置１０による射出成形が一時的に停止される期間を、電力供給パターンに従って各動力機器１６〜２１に対する電力の供給及び停止が行なわれる期間Ｔとしている（図２）。
【００５４】
そのため、射出成形装置１０による射出成形を一時的に停止させる期間Ｔになると、電力供給パターンに従った電力の供給及び停止を行なって、電力消費量を低減することができる。
【００５５】
（６）射出成形装置１０の稼働時間帯の途中に予め設定された非稼働時間帯（休憩時間帯等）を上記（５）の期間Ｔとしている（図２）。
そのため、射出成形装置１０の稼働中、予め設定された昼の休憩時間帯等の非稼働時間帯になると、電力供給パターンに従った電力の供給及び停止を行なって、電力消費量を低減することができる。
【００５６】
（７）工場内では、射出成形装置１０における複数の付帯設備１２〜１５の全部が射出成形機１１の周辺に配置されるとは限らず、一部の付帯設備が射出成形機１１や他の付帯設備から大きく遠ざかった箇所に配置されることがある。図４はその一例を示しており、射出成形機１１が工場の１階に配置され、ホットランナ、取出しコンベヤ及び金型温水機を動力機器１８〜２０とする付帯設備１２〜１４が、射出成形機１１に近い箇所に配置されている。これに対し、ホッパドライヤを動力機器２１とする付帯設備１５は、２階に配置されていて、射出成形機１１及び付帯設備１２〜１４から遠ざかっている。なお、図中の３１は、成形された樹脂製品を射出成形機１１から取出す取出し機を示している。
【００５７】
そのため、射出成形装置１０のオペレータは、動力機器１６〜２１への電力供給を停止する操作を行なったり、電力を供給する操作を行なったりする際、階を跨いで移動しなければならず、負担が大きい。オペレータが全ての動力機器１６〜２１に対する電力の供給及び停止のための操作を行なうことは困難である。こうした問題は、動力機器１６〜２１が工場内で散在している射出成形装置１０であれば同様に起こり得る。
【００５８】
しかし、本実施形態では、制御装置２２が、全ての動力機器１６〜２１に対する電力の供給及び停止を統合して行なうようにしている。オペレータは、複数種類の生産形態の中から１つを選択する操作を、選択スイッチ２４（図１参照）を通じて行なうだけでよく、動力機器１６〜２１に対する電力の供給及び停止のために、工場内で階を跨いで移動しなくてもすむ。オペレータにかかる負担が大幅に軽減される。
【００５９】
なお、上記実施形態は、これを以下のように変更した変形例として実施することもできる。
・動力機器に対する電力の供給停止により低減（節電）される電力量の指標値を表示装置２５で表示させてもよい。指標値としては、例えば、動力機器１６〜２１毎の節電量の積算値や、全ての動力機器１６〜２１についての節電量の積算値（動力機器１６〜２１毎の積算値を合計したもの）が挙げられる。積算期間は、１日であってもよいし、１週間であってもよいし、１ヶ月であってもよい。
【００６０】
このようにすると、表示装置２５には、動力機器１６〜２１に対する電力の供給停止により低減（節電）される電力量の指標値が表示される。そのため、表示装置２５を見ることで、電力の供給停止によりどれくらいの電力が節電されたかが判る。従って、省エネルギーに対する関心を高めるうえで有効である。
【００６１】
また、電力の供給停止により節約された電気料金が上記指標値とされて、表示装置２５に表示されてもよい。
・上記入力装置２３、選択スイッチ２４及び表示装置２５がタッチパネルによって構成されてもよい。
【００６２】
・上記実施形態での動力機器は例示にすぎず、これ以外のものが動力機器として用いられてもよい。
【符号の説明】
【００６３】
１０…射出成形装置、１１…射出成形機、１２，１３，１４，１５…付帯設備、１６，１７，１８，１９，２０，２１…動力機器、２２…制御装置、２３…入力装置、２５…表示装置、２６…記憶部、Ｔ…期間。
【図１】
2016068342.tif 000003
【図２】
2016068342.tif 000004
【図３】
2016068342.tif 000005
【図４】
2016068342.tif 000006